(57)【要約】【課題】鍬の刃と柄の角度を頻繁に微調整できる機能と、柄の着脱が容易かつ迅速に行なえる機能と、鍬を出来るだけ軽量化するという、３つの課題を同時に解決する。【解決手段】鍬の刃と柄を一体にする固定方法を、従来の刃に溶接された筒に木の棒を差し込んで固定する原始的なものから、刃と柄の角度微調整装置を兼ねた接合装置に改善する。【選択図】図６
0003161318.tif 000002
【実用新案登録請求の範囲】
【請求項１】
鍬の刃１に取り付けられ、挿入される柄３の先端部分の板状突起４をボルト５，６で狭持固定する接合装置兼角度調整装置２からなり、接合装置兼角度調整装置２には、ボルト５を通すボルト穴９と柄の角度で決まる位置にボルト６を通すボルト溝穴１０が空けられていることを特徴とする装置
【請求項２】
鍬の柄３が金属製のパイプであることを特徴とする請求項１記載の鍬の刃１と柄３の接合装置兼角度調整装置
【考案の詳細な説明】
【技術分野】
【０００１】鍬の刃と柄の接合部分に着脱容易な角度の調整機能を持たせた接合装置に関する。
【背景技術】
【０００２】特許文献１〜６までに示すように、鍬の刃と柄の角度を可変とする考案は多く見られる。
しかし、いずれも、装置が複雑で実用的でなく、使用者が使えないのが現状である。
簡単な構造でないと経済性はもちろん、使用者の使い勝手の面でも、実用性がないからである。【０００３】しかも、これらの先行技術は、いずれも鍬を使用する作業の現場からの要請には答えていない。鍬の刃と柄の角度は僅かな角度の調整で十分であること、角度調整の必要頻度が多いことから、出来るだけ簡単な構造であることが望まれている。
【先行技術文献】
【特許文献】
【特許文献１】特許公開２００４−１９４６３３
【特許文献２】登録実用新案第３１２１７６２号
【特許文献３】登録実用新案第３０６３５６１号
【特許文献４】特許公開２００６−６７８３３
【特許文献５】特許公開２００６−１４６５６
【考案の概要】
【考案が解決しようとする課題】
【０００４】従来の鍬では、作業の内容と刃と柄の角度と柄の長さによって、作業者は、自分の肉体の使い方を変えて対応しなければならなかった。今までの鍬、根堀鍬、熊手は、誰でも背の高さにあわせて、使いやすいように刃の角度を調節できなかった。僅かな刃と柄の角度を変えることで、使用者の作業能率が格段に向上することがわかっているから、簡単な構造で角度を微調整できるよう望まれている。【０００５】柄の素材を樹木の棒から金属パイプに改良し、肉厚を手元ほど薄くする等して、出来るだけ軽い鍬にして欲しいという要望が強い。
鍬の柄が樹木を原料にしているため、柄をすげかえるのに少年や老人の手ではすげかえれなかった。従来の鍬は、木の柄の根元を割って、中に杭を打って使っていた。それが木なので乾燥したら、ぐらぐらになる。腐ることもある。すると、又、すげなければならない。
木で出来た柄は、環境問題からも使わないほうがいい。【０００６】柄の取替えも容易であってほしいというのが使用者の願望である。
鍬の作業では、重い鍬と軽い鍬があり、角度を調整することと同様に、重い鍬と軽い鍬を使い分ける必要があるから、柄の着脱交換が容易であることも大切である。
刃が減ってきて使えなくなっても、柄は買い求めなくてもいい。
これらの課題を抱えている従来の先行技術も含めた鍬を、もっと使用者の作業現場から見直した一層の改善技術が望まれている。
【課題を解決するための手段】
【０００７】本考案は、前述したような課題を解決するための手段として、最善の技術的改良を実現したものである。すなわち、鍬の刃と柄の角度を頻繁に微調整できる機能と、柄の着脱が容易かつ迅速に行なえる機能と、鍬を出来るだけ軽量化する構造という、３つの課題を同時に解決する装置を提供するものである。【０００８】具体的には、鍬の刃と柄とを接合する部分を、請求項１に述べたような、新規考案の接合装置兼角度微調整装置に改善することによって課題が解決できる。
すなわち、鍬の刃と柄を一体にする固定方法を、従来の刃に溶接された筒に木の棒を差し込んで固定する原始的なものから、刃と柄の接合装置兼角度微調整装置に改善すれば、前述の課題が解決する。【０００９】本考案の刃と柄の接合装置兼角度微調整装置は、請求項１に記載したように、「鍬の刃１に取り付けられ、挿入される柄３の先端部分の板状突起４をボルト５，６で狭持固定する接合装置兼角度調整装置２からなり、接合装置兼角度調整装置２には、ボルト５を通すボルト穴９と柄の角度で決まる位置にボルト６を通すボルト溝穴１０が空けられていることを特徴とする装置」である。【００１０】さらに、請求項２では、柄の素材を樹木から金属製パイプに転換することを提案している。
【考案の効果】
【００１１】鍬は大別して、鍬、深堀鍬、熊手といった、作業の内容によって種類があるが、本考案はそのいずれの鍬であっても適用できる。【００１２】老若男女が自分の体格や作業の内容にあった鍬を使えることになる。
誰でもが農作業を楽しむことが出来る。【００１３】使用者の作業負荷の低減と使いやすさの向上を実現する。
農作業が重労働から、楽々労働に転換できる。【００１４】本装置の構造が極めて簡単であるから、安価な鍬が提供できる。【００１５】大量生産を考えて、寸法規格を定めれば、結果としてもっと安価な鍬が提供できる。
使用者の体格別、作業内容、対象土の分類等を規格化すればよい。【００１６】柄を金属パイプ▲２▼変換することで、樹木の伐採を減じることもできる。
【図面の簡単な説明】
【００１７】本考案の鍬の刃と柄の接合装置の全体構造を図１〜図６に示す。
【図１】「鍬の全体構造を示した斜視図である。」
【図２】「柄の全体を示した透視図である。」
【図３】「鍬の組み立て図である。」
【図４】「刃と柄の接合部分の拡大図である。」
【図５】「柄の角度調整機能を示した側面図である。」
【図６】「深堀鍬の組み立て図である。」
【考案を実施するための形態】
【００１８】刃と柄の接合装置のボルト２本を緩めて締めるという簡単な操作で、刃と柄の角度が任意に微調整でき、しかも柄を容易に着脱できる鍬を実用化した。
【実施例１】
【００１９】鍬の柄の先端につくられた板状の突起を、鍬の刃に固定した接合装置に挿入して、２本のボルトとナットで固定すればよい。以下本考案の実施例を図１〜図６までを示して詳細に説明する。
図１において、１は鍬の刃、２は接合装置で刃に取り付け固定されている。
３は鍬の柄で金属製パイプでつくられている。
４は接合装置に挿入する柄の先端の板状突起である。
図２において、柄の全体図を示す。
柄の先端部分の４は、本実施例では、プレス加工によって製作されたが、別の方法で部品として製作しても良い。
図３において、本装置の組み立て図を示す。
５、６はボルト、７、８はナット、９はボルト穴（柄の角度を決める支点でボルト５を通す）、１０はボルト溝穴（柄の角度で決まる位置にボルト６を通す）、１１，１２はボルト穴（それぞれ９と１０に合致してボルト５と６を通す）である。
図３に示すように、４を２に挿入して、希望する角度の位置を決めて、２本のボルト５，６と、７と８のナットで締めて固定すれば、組み立て完了である。
図４は、組立を完了した鍬の全体を示している。
図５は、組立を完了した鍬の側面図で柄３の角度の微調整が出来ることを示している。
【実施例２】
【００２０】実施例１と同じように、深堀鍬の組み立て図を示す。
【産業上の利用可能性】
【００２１】深堀鍬や熊手など、全ての鍬に適応する装置であるから、農業者ばかりでなく、土木業者や、家庭菜園愛好家にも、広く利用される。【００２２】農業の労働生産性を向上する、あるいは農作業の苦痛から開放するなどの利点から、農業の発展に大いに利用できる。
【符号の説明】
【００２３】１  鍬の刃
２  接合装置で刃に取り付けられ、挿入される柄の板状突起を狭持固定する
３  柄
４  接合装置に挿入する柄の先端の板状突起
５、６  ボルト
７、８  ナット
９  ボルト穴（柄の角度を決める支点でボルト５を通す。）
１０  ボルト溝穴（柄の角度で決まる位置にボルト６を通す。）
１１，１２  ボルト穴（それぞれ９と１０に合致してボルト５と６を通す。）
【図１】
0003161318.tif 000003
【図２】
0003161318.tif 000004
【図３】
0003161318.tif 000005
【図４】
0003161318.tif 000006
【図５】
0003161318.tif 000007
【図６】
0003161318.tif 000008